(57)【要約】  選択的に汚染物質を収着するための小型吸着フィルタ、及びフィルタで筐体から汚染物質を除去する方法が開示される。本発明のフィルタは２つ以上のモジュール式吸着ユニット（１５、１５’）を含み、それらは折り曲げ可能に連結できて、１つ以上の軸について対称的にすることもできる。他の態様では、本発明は、少なくとも１つの端部、第１面、及び第１面と対向する第２面を有する層状支持体（１７）を提供し、第１の吸着アセンブリが層状支持体の第１面に隣接し、第２の吸着アセンブリが層状支持体の第２面に隣接するように、層状支持体の少なくとも１つの端部のあたりで折り曲げ線に沿って物品が折り曲げられる。この態様では、層状支持体は露出していてもよく、隣接する吸着アセンブリで覆われていてもよい。
2008516752.tif 000002
【特許請求の範囲】
【請求項１】
ａ）第１の基材に配置された第１の吸着材と、該第１の吸着材の少なくとも一部を覆い、該第１の吸着材の周辺を囲んで該第１の基材に取り付けられた、第１の多孔質ポリマー層とを含む、第１の吸着アセンブリと； 
ｂ）第２の基材に配置された第２の吸着材と、該第２の吸着材の少なくとも一部を覆い、該第２の吸着材の周辺を囲んで該第２の基材に取り付けられた、第２の多孔質ポリマー層とを含む、第２の吸着アセンブリと
を含んでなり、該第１の吸着アセンブリと該第２の吸着アセンブリが折り曲げ可能に連結されていることを特徴とする、物品。
【請求項２】
前記第１及び第２の吸着アセンブリの間に折り曲げ線をさらに含む、請求項１に記載の物品。
【請求項３】
前記第１及び第２の吸着アセンブリが、前記折り曲げ線について対称である、請求項２に記載の物品。
【請求項４】
前記物品が前記折り曲げ線に沿って折り曲げられている、請求項２に記載の物品。
【請求項５】
少なくとも１つの端部、第１面、及び該第１面と対向する第２面を有する層状支持体をさらに含んでなり、前記第１の吸着アセンブリが該層状支持体の該第１面に隣接し、前記第２の吸着アセンブリが該層状支持体の該第２面に隣接するように、前記物品が、該層状支持体の端部のあたりで、前記折り曲げ線に沿って折り曲げられることを特徴とする、請求項２に記載の物品。
【請求項６】
前記層状支持体の少なくとも１つの端部が露出している、請求項５に記載の物品。
【請求項７】
前記層状支持体が、少なくとも１つの面に接着剤をさらに含む、請求項５に記載の物品。
【請求項８】
前記第１の基材が前記第２の基材に隣接するように、前記物品が前記折り曲げ線に沿って折り曲げられている、請求項２に記載の物品。
【請求項９】
前記第１の吸着アセンブリを前記第２の吸着アセンブリに固定するためのクランプをさらに含む、請求項８に記載の物品。
【請求項１０】
前記第１の基材と前記第２の基材とが連続している、請求項１に記載の物品。
【請求項１１】
前記第１の多孔質ポリマー層と前記第２の多孔質ポリマー層とが連続している、請求項１に記載の物品。
【請求項１２】
前記第１の基材及び前記第２の基材の少なくとも一方が、少なくとも１つの面に配置された接着剤を含む、請求項１に記載の物品。
【請求項１３】
前記第１の基材が前記第２の基材に隣接し、前記接着剤の少なくとも一部が露出するように、前記物品が折り曲げられている、請求項１２に記載の物品。
【請求項１４】
前記接着剤が、感圧接着剤、ホットメルト接着剤、熱可塑性又は熱硬化材料、ＵＶ硬化性接着剤、空気硬化性接着剤、水分硬化性接着剤、及び複数部分（multiple-part）接着剤からなる群から選択される、請求項１２に記載の物品。
【請求項１５】
前記第１の基材及び前記第２の基材の少なくとも一方が、両面接着剤テープを含む、請求項１に記載の物品。
【請求項１６】
前記第１の吸着アセンブリが、前記第１の基材内部に穴をさらに含む、請求項１に記載の物品。
【請求項１７】
前記第１の吸着アセンブリが、前記穴の上に配置された拡散チューブをさらに含む、請求項１６に記載の物品。
【請求項１８】
前記多孔質ポリマー層を覆う空気不透過性層をさらに含む、請求項１６に記載の物品。
【請求項１９】
前記空気不透過性層内部に少なくとも１つの打ち抜き穴をさらに含む、請求項１６に記載の物品。
【請求項２０】
前記第１の多孔質ポリマー層及び前記第２の多孔質ポリマー層の少なくとも一方が、多孔質ポリマー膜である、請求項１に記載の物品。
【請求項２１】
前記多孔質ポリマー膜がＰＴＦＥを含む、請求項２０に記載の物品。
【請求項２２】
前記第１の多孔質ポリマー層及び前記第２の多孔質ポリマー層の少なくとも一方が、多孔質ポリマー膜及び支持体を含む積層体である、請求項１に記載の物品。
【請求項２３】
前記多孔質ポリマー膜がＰＴＦＥを含む、請求項２２に記載の物品。
【請求項２４】
前記第１の吸着材及び前記第２の吸着材の少なくとも一方が、化学吸着材を含む、請求項１に記載の物品。
【請求項２５】
前記第１の吸着材及び前記第２の吸着材の少なくとも一方が、物理吸着材を含む、請求項１に記載の物品。
【請求項２６】
前記第１の吸着材及び前記第２の吸着材が同じ材料を含む、請求項１に記載の物品。
【請求項２７】
少なくとも１つの追加の基材に配置された少なくとも１つの追加の吸着材と、該少なくとも１つの追加の吸着材の少なくとも一部を覆い、該少なくとも１つの追加の吸着材の周辺を囲んで該少なくとも１つの追加の基材に取り付けられた、少なくとも１つの追加の多孔質ポリマー層とを含む、少なくとも１つの追加の吸着アセンブリをさらに含んでなり、該少なくとも１つの追加の吸着アセンブリは、前記第１又は第２の吸着アセンブリと折り曲げ可能に連結されていることを特徴とする、請求項１に記載の物品。
【請求項２８】
少なくとも１つの角部を有し、請求項２に記載の物品を含む筐体であって、前記物品が前記折り曲げ線に沿って折り曲げられて該筐体の該角部に取り付けられていることを特徴とする、筐体。
【請求項２９】
請求項１７に記載の物品によって覆われている穴を有する、筐体。
【請求項３０】
前記吸着材の少なくとも１つの表面に形状が施されている、請求項１に記載の物品。
【請求項３１】
前記吸着材が、少なくとも１つの空気透過性流れ層をさらに含む、請求項１に記載の物品。
【請求項３２】
前記吸着材が、吸着材を充填したポリマー層を含む、請求項１に記載の物品。
【請求項３３】
前記吸着材が、吸着材及びＰＴＦＥを含む複合体である、請求項３２に記載の物品。
【請求項３４】
少なくとも１つの吸着材が、２つ以上の吸着材料を含んでもよい、請求項１に記載の物品。
【請求項３５】
少なくとも１つの吸着材が、２つ以上の吸着材料層を含む、請求項１に記載の物品。
【請求項３６】
ａ）対称軸で第１の半分及び第２の半分に二等分される長方形の感圧接着剤層と；
ｂ）該感圧接着剤層の該第１の半分に接触した第１の表面を有し、少なくとも１つの残りの表面を有する、第１の吸着材と；
ｃ）該感圧接着剤層の該第２の半分と接触した第１の表面を有し、少なくとも１つの残りの表面を有する、第２の吸着材と；
ｄ）ｅＰＴＦＥを含む多孔質ポリマー膜フィルタ媒体であって、該ポリマー膜フィルタ媒体が該第１の吸着材の該残りの表面を覆って第１の吸着ユニットを形成し、かつ該ポリマー膜フィルタ媒体が該第２の吸着材の該残りの表面を覆って第２の吸着ユニットを形成するように、該第１の吸着材及び該第２の吸着材の周辺を囲んで該感圧接着剤層に取り付けられた、多孔質ポリマー膜フィルタ媒体と；
ｅ）該第１の吸着ユニットが該第２の吸着ユニットに折り曲げ可能に連結されるように、該対称軸に沿って配置された少なくとも１つの打ち抜き穴と、
を含んでなる、吸着アセンブリ。
【請求項３７】
ａ）上面及び底面を有する基材を用意する工程であって、該基材は折り曲げ線をその中に有して、上面及び底面を有する第１のパネルと上面及び底面を有する第２のパネルとを形成し、該第１のパネルは該第２のパネルに折り曲げ可能に連結されている、工程と；
ｂ）該第１のパネルの該上面に配置された第１の吸着材と、該第２のパネルの該上面に配置された第２の吸着材とを用意する工程と；
ｃ）該第１の吸着材の周辺を囲んで該第１のパネルの該上面に取り付けられた、第１の多孔質ポリマー層で該第１の吸着材の少なくとも一部を覆う工程と；
ｄ）該第２の吸着材の周辺を囲んで該第２のパネルの該上面に取り付けられた、第２の多孔質ポリマー層で該第２の吸着材の少なくとも一部を覆う工程と；
ｅ）該第１のパネルの該底面が該第２のパネルの該底面に隣接するように、該折り曲げ線で該基材を折り曲げる工程と
を含む、吸着物品の組立方法。
【請求項３８】
前記第１の多孔質ポリマー層及び前記第２の多孔質ポリマー層が連続している、請求項３７に記載の吸着物品の組立方法。
【請求項３９】
前記第１及び第２の多孔質ポリマー層を空気不透過性層で覆う工程をさらに含む、請求項３７に記載の吸着物品の組立方法。
【請求項４０】
ａ）第１の基材に配置された第１の吸着材と、該第１の吸着材の少なくとも一部を覆い、該第１の吸着材の周辺を囲んで該第１の基材に取り付けられた、第１の多孔質ポリマー層と含んでなる、第１の吸着アセンブリと；
ｂ）第２の基材に配置された第２の吸着材と、該第２の吸着材の少なくとも一部を覆い、該第２の吸着材の周辺を囲んで該第２の基材に取り付けられた、第２の多孔質ポリマー層と含んでなる、第２の吸着アセンブリと
を含んでなり、該第１の基材が該第２の基材に隣接していることを特徴とする、物品。
【請求項４１】
少なくとも１つの端部を有しかつ前記第１の吸着アセンブリ及び前記第２の吸着アセンブリの間に配置されている層状支持体をさらに含む、請求項４０に記載の物品。
【請求項４２】
前記層状支持体の少なくとも１つの端部が露出している、請求項４１に記載の物品。
【請求項４３】
前記第１の基材及び前記第２の基材の少なくとも一方が、少なくとも１つの面に配置された接着剤を含む、請求項４２に記載の物品。
【請求項４４】
前記第１の基材及び前記第２の基材の少なくとも一方が、両面接着剤テープを含む、請求項４２に記載の物品。
【発明の詳細な説明】
【技術分野】
【０００１】
本発明は、電子デバイス又は光学デバイス（例えば、コンピュータ及び他のデータ記憶用途に使用されるディスクドライブ）の中の気体汚染物質のような、閉じ込められた環境から汚染物質を濾過又は除去するためのデバイスに関する。
【背景技術】
【０００２】
敏感な機器又は装置を収容する多くの筐体は、適切に動作するよう非常に清浄な環境を維持しなければならない。例として以下の筐体が挙げられる：機械的又は電気的動作と干渉しうる粒子状物質及び気体汚染物質に対して敏感な光学表面又は電気接続を有する筐体；粒子、有機気体、水分及び腐食性気体に対して敏感な、コンピュータハードディスクドライブのようなデータ記録デバイス；並びに水分の蓄積及び腐食に加えて、流体及び気体からの汚染に対して敏感な、自動車に使用されるもののような電子制御ボックス。そのような筐体における汚染は、筐体の内側及び外側の両方に由来する。例えばコンピュータハードドライブでは、損傷は外部汚染物質に加えて内部部品からのガス放出からも起こりうる。
【０００３】
コンピュータディスクドライブにおける、汚染に関係する重大な故障機構の１つは、静止摩擦又は「吸着（stiction）」である。吸着とは、ディスクが停止しているときに、ドライブヘッドがディスクに付着することである。新しい高密度ディスクはより滑らかであり、かつ潤滑剤のわずかな薄い層が使用されるために、汚染物質に関係する吸着により敏感である。ディスク上の汚染物質は、表面エネルギー及びディスクとヘッドとの間の付着力を変化させて、吸着を引き起こす。また、ヘッドとディスクとのすき間に凝縮する気体も吸着を引き起こしうる。新しいディスクドライブは、より小さくて低トルクの低エネルギーモーターを有するため、これらの影響はさらに深刻である。
【０００４】
さらに、ディスクドライブを周囲環境にある大量の汚染物質から保護しなければならない。このことは、通常のデータ処理環境で使用されないであろう、小型から中型のコンピュータシステムに使用するドライブに当てはまり、特に取り外し可能でかつ任意の環境に持ち運び可能なドライブ、例えば、パーソナルコンピュータメモリーカード国際協会（ＰＣＭＣＩＡ）スロット、ｉＰｏｄ（登録商標）音楽デバイス及び携帯電話で使用されるディスクドライブに当てはまる。
【０００５】
汚染物質を制御するために成功した方法の１つは、収着フィルタを使用することである。収着フィルタは、内部源及び外部源の両方からの汚染物質が筐体に含まれない状態を維持しなければならない。より清浄な環境を提供するといった要求に加えて、小さい筐体内に取り付けるために、フィルタはより小さく作られていなければならない。最近の電子部品における空間の制約の好例が、コンピュータディスクドライブの分野にある。今日、ＰＣＭＣＩＡコンピュータディスクドライブ、又は１．８インチ（４５ｍｍ）ディスクを備えたドライブは、記憶容量が数ギガバイトであって、幅はおよそ５ｃｍ、長さはおよそ７．５ｃｍしかない。Ｔｙｐｅ  ３  ＰＣＭＣＩＡドライブの最大厚さは１０．５ｍｍであり、Ｔｙｐｅ  ２  ドライブの最大厚さは５ｍｍであり、Ｔｙｐｅ  Ｉ  ドライブの最大厚さは３．３ｍｍである。カメラ及び携帯電話用途向けの、さらにより小さい１．０インチ（２５ｍｍ）及び０．８インチ（２０ｍｍ）ドライブが、既に上市されているか、近々上市される。
【０００６】
商業上成功した収着フィルタが、Ｓａｓｓａらの米国特許第４８３０６４３号に開示されている。この特許は、粉末吸着材が延伸ＰＴＦＥチューブ内に封入されている収着フィルタを教示している。このチューブフィルタは、Ｗ．Ｌ．  Ｇｏｒｅ  ａｎｄ  Ａｓｓｏｃｉａｔｅｓ，  Ｉｎｃ．，  Ｅｌｋｔｏｎ，  Ｍａｒｙｌａｎｄが製造し、商品名  ＧＯＲＥ  ＳＯＲＢＥＲ（登録商標）モジュールとして市販されている。この器具は非常に効果的であるが、大型及び中型（例えばフィルタ体積が最低で約３ｃｃ）のフィルタのみが現在市販されている。その現在の形状においては、より高密度で収着材を収容する、さらにより小さい小型の収着フィルタについて高まる要求に、このフィルタで完全に対処することは不可能である。
【０００７】
収着フィルタの製造者は、非常に小さいチューブ収着フィルタを製造するに当たって、いくつかの問題に直面している。チューブの大きさ（直径）が減少すると、チューブに収着材粉末を充填することがより難しくなる。この問題は、「粉塵」混入を防ぐために一般的に使用される、大きい粒状の収着材粉末を通常使用することと複合している。チューブの外部表面及びシール領域に粉末を付けることなく、小さいチューブフィルタを充填することはより困難である。チューブの外側の粉末はチューブ近辺のデバイスを汚染しうる。また、シール領域の粉末は外側のチューブのシールを邪魔する可能性があり、漏れを通じて粉塵の問題を引き起こす場合がある。
【０００８】
収着フィルタの多くの新しい用途では、密封式（spill-proof）の収着材料が必要とされている。しかしながら、現在の充填式チューブフィルタに緩い粒子を使用すると、破損した場合、緩く詰められた吸着材料が筐体内にこぼれて全体の部品に損傷を与える可能性がある。
【０００９】
チューブ状収着材に関する別の問題は、製造において特注の自動化が要求されることである。ディスクドライブフィルタ産業における材料及び部品は急速に開発されかつ陳腐化するために、そのような特注の自動化は望ましくない。
【００１０】
Ｗ．Ｌ．  Ｇｏｒｅ  ＆  Ａｓｓｏｃｉａｔｅｓ，  Ｉｎｃ．から市販されている、ＧＯＲＥ−ＴＥＸ（登録商標）独立型吸着アセンブリと呼ばれる別の収着フィルタは、上面及び底面に多孔質延伸ＰＴＦＥ膜が積層された、複合体の収着材充填ＰＴＦＥ平面コアからなる。このフィルタは、筐体内部のスロットにはめ込まれる。収着材充填ＰＴＦＥコアには、炭化水素、水分、ガス放出された可塑剤、腐食性物質などを吸着するために選択した、様々な収着材料を充填することができる。この収着アセンブリは薄型・小型の収着アセンブリであるが、このデバイスの未シール面は、いくつかの用途で収着材料粒子の脱落（shedding）からの十分な保護を提供しない場合があるといった懸念が言及されている。
【００１１】
ロータリーダイカット装置及び連続フィルムプロセスによって製造された吸着アセンブリフィルタが知られている。そのような装置は、設置コストが比較的低くかつ適合性が高いために有利である。その上、連続フィルム供給プロセスは部品コストを非常に低減する。
【００１２】
しかしながら、既知のロータリーダイカット装置では、吸着アセンブリ及び吸着ブリーザフィルタの設計が非常に制約される。例えば、そのような装置は比較的薄い吸着材を切断できるに過ぎない。そのため、吸着アセンブリについて、全体の吸着容量が実質的に制限される。より厚い吸着材では、その吸着材をフィルタ内部に覆ってシールするために多孔質膜被覆の複雑な成形が必要である。また、部品設計（例えば露出した接着剤）、部品の層、及びこれらの部品の使用を制限しうる、一部のロータリープロセスのレイアウトから部品を自動的にピックアンドプレースする能力といった、いくつかの他の制限もある。また、原材料から作ることのできるフィートあたりの部品数にも制限があって、部品あたりのコストが増大する。
【発明の開示】
【発明が解決しようとする課題】
【００１３】
従って、上述の制限を克服する、改良された吸着アセンブリ及び吸着ブリーザフィルタが必要とされている。
【課題を解決するための手段】
【００１４】
ある態様では、本発明は、第１の基材に配置された第１の吸着材と、第１の吸着材の少なくとも一部を覆い、第１の吸着材の周辺を囲んで第１の基材に取り付けられた、第１の多孔質ポリマー層とを含む、筐体内部の汚染物質を除去するための吸着アセンブリと；第２の基材に配置された第２の吸着材と、第２の吸着材の少なくとも一部を覆い、第２の吸着材の周辺を囲んで第２の基材に取り付けられた、第２の多孔質ポリマー層とを含む、第２の吸着アセンブリと、であって、その第１の吸着アセンブリと第２の吸着アセンブリは折り曲げ可能に連結されている。
【００１５】
他の態様では、本発明は、第１及び第２の吸着アセンブリの間に折り曲げ線を提供する。
【００１６】
さらに別の態様では、第１及び第２の吸着アセンブリは、折り曲げ線について対称である。
【００１７】
さらに別の態様では、本発明は、物品が折り曲げ線のあたりで折り曲げられている、吸着アセンブリを提供する。
【００１８】
他の態様では、本発明は、少なくとも１つの端部、第１面、及び第１面と対向する第２面を有する層状支持体を提供し、第１の吸着アセンブリが層状支持体の第１面に隣接し、第２の吸着アセンブリが層状支持体の第２面に隣接するように、物品が、層状支持体の少なくとも１つの端部のあたりで、折り曲げ線に沿って折り曲げられる。この態様では、層状支持体は、露出していてもよく、隣接する吸着アセンブリで覆われていてもよい。
【００１９】
さらなる態様では、本発明は、少なくとも１つの面が接着剤で構成される層状支持体を提供する。
【００２０】
さらに別の態様では、本発明は、第１の基材が第２の基材に隣接している、折り曲げられたアセンブリを提供する。
【００２１】
さらなる態様では、本発明は、第１の基材を第２の基材に隣接させて保持するためのクランプを提供する。
【００２２】
さらに別の態様では、本発明は、第１の基材と第２の基材とが連続しているアセンブリを提供する。
【００２３】
さらに別の態様では、本発明は、連続した第１及び第２の多孔質ポリマー層を有している。
【００２４】
さらに別の態様では、本発明は、第１の基材及び第２の基材の少なくとも一方が、少なくとも１つの面に接着剤を含んでいるアセンブリを提供する。
【００２５】
さらに別の態様では、第１の基材が第２の基材に隣接し、接着剤の少なくとも一部が露出するように、物品が折り曲げられる。
【００２６】
さらなる態様では、接着剤は、感圧接着剤、ホットメルト接着剤、熱可塑性又は熱硬化材料、ＵＶ硬化性接着剤、空気硬化性接着剤、水分硬化性接着剤、及び複数部分（multiple-part）接着剤からなる群から選択される。
【００２７】
他の態様では、第１の基材及び第２の基材の少なくとも一方に両面接着剤が含まれる。
【００２８】
さらに別の態様では、本発明は、第１の基材内部に配置された穴又は注入口を提供する。
【００２９】
さらに別の態様では、本発明は、注入口の上に配置された拡散チューブをさらに含む。
【００３０】
さらに別の態様では、本発明は、１つ以上の吸着アセンブリを覆う空気不透過性層を含む。この態様では、不透過性層は、その中に１つ以上の打ち抜き穴を含んでもよい。
【００３１】
他の態様では、本発明は、第１のポリマー層及び第２のポリマー層の少なくとも一方が多孔質ポリマー膜から構成されるものを提供する。この態様では、多孔質ポリマー膜は疎水性であってよい。より好ましくは、多孔質ポリマー膜はＰＴＦＥを含む。
【００３２】
さらなる態様では、本発明は、第１のポリマー層及び第２のポリマー層の少なくとも一方が多孔質ポリマー膜及び支持体の積層体から構成されるものを提供する。
【００３３】
さらに別の態様では、本発明は、第１の吸着材及び第２の吸着材の少なくとも一方が化学吸着剤から構成されるものを提供する。
【００３４】
さらに別の態様では、本発明は、第１の吸着材及び第２の吸着材の少なくとも一方が物理吸着剤から構成されるものを提供する。
【００３５】
他の態様では、本発明は、第１の吸着材及び第２の吸着材が同じ材料であるものを提供する。
【００３６】
さらに別の態様では、本発明は、少なくとも１つの追加の基材に配置された少なくとも１つの追加の吸着材と、少なくとも１つの追加の吸着材の少なくとも一部を覆い、少なくとも１つの追加の吸着材の周辺を囲んで少なくとも１つの追加の基材に取り付けられた、少なくとも１つの追加の多孔質ポリマー層とを含んでなる、少なくとも１つの追加の吸着アセンブリをさらに含み、その少なくとも１つの追加の吸着アセンブリは、第１又は第２の吸着アセンブリと折り曲げ可能に連結されている。
【００３７】
さらなる態様では、本発明は、筐体の角部に取り付けるため、適用の際に折り曲げ線に沿って折り曲げられる。
【００３８】
さらなる態様では、吸着材は、少なくとも１つの表面に形状が施されている。
【００３９】
さらに別の態様では、吸着材は、少なくとも１つの空気透過性流れ層をさらに含む。
【００４０】
他の態様では、本発明は、吸着材充填ポリマー層を含む吸着媒体を提供する。この態様では、吸着材には吸着材とＰＴＦＥとの混合物が含まれる。
【００４１】
さらに別の態様では、吸着層の一方又は両方に複数の吸着材が含まれる。
【００４２】
さらに別の態様では、吸着層の一方又は両方に複数の吸着層が含まれる。この態様では、吸着層に形状を施して、溝、隆起を付与してもよく、もしくは起伏を付けて非平坦面を付与してもよく、又は吸着層の吸着性能を改良する空気透過性流れ層であってもよい。
【００４３】
他の態様では、吸着アセンブリは、対称軸で第１の半分及び第２の半分に二等分される長方形の感圧接着剤層と；感圧接着剤層の第１の半分に接触した第１の表面を有し、少なくとも１つの残りの表面を有する、第１の吸着材と；感圧接着剤層の第２の半分と接触した第１の表面を有し、少なくとも１つの残りの表面を有する、第２の吸着材と；ＰＴＦＥを含む多孔質ポリマー膜フィルタ媒体であって、そのポリマー膜フィルタ媒体が第１の吸着材の残りの表面を覆って第１の吸着ユニットを形成し、かつそのポリマー膜フィルタ媒体が第２の吸着材の残りの表面を覆って第２の吸着ユニットを形成するように、第１の吸着材及び第２の吸着材の周辺を囲んで感圧接着剤層に取り付けられた、多孔質ポリマー膜フィルタ媒体と；第１の吸着ユニットが第２の吸着ユニットに折り曲げ可能に連結されるように、対称軸に沿って配置された少なくとも１つの打ち抜き穴と、を含む。
【００４４】
他の態様では、吸着物品の組立方法が提供される。その方法は、上面及び底面を有する基材を用意する工程であって、その基材は折り曲げ線をその中に有して、上面及び底面を有する第１のパネルと上面及び底面を有する第２のパネルとを形成し、第１のパネルは第２のパネルに折り曲げ可能に連結されている、工程と；第１のパネルの上面に配置された第１の吸着材と、第２のパネルの上面に配置された第２の吸着材とを用意する工程と；第１の吸着材の周辺を囲んで第１のパネルの上面に取り付けられた、第１の多孔質ポリマー層で第１の吸着材の少なくとも一部を覆う工程と；第２の吸着材の周辺を囲んで第２のパネルの上面に取り付けられた、第２の多孔質ポリマー層で第２の吸着材の少なくとも一部を覆う工程と；第１のパネルの底面が第２のパネルの底面と隣接するように、折り曲げ線で基材を折り曲げる工程とを含む。
【００４５】
さらに別の態様では、吸着材は、追加の不透過性外層及び実装用接着剤を含み、筐体壁又は筐体表面の穴を覆うアセンブリとして、部品を外部実装型にすることができる。
【００４６】
他の態様では、外部実装吸着アセンブリは、不透過性外層及びポリマー層に穴又は開口部をさらに含み、ブリーザ機能又は通気機能を有する外部実装型にすることができる。
【００４７】
さらに別の態様では、外部実装吸着ブリーザフィルタは追加層をさらに含み、外部実装吸着ブリーザフィルタ内部に拡散チューブを形成する。
【００４８】
さらなる態様では、本発明は、複数のヒンジで折り曲げ可能に連結された、複数の吸着アセンブリを含む。
【００４９】
他の態様では、複数のアセンブリを有する吸着アセンブリは、ポリマーフィルム層に穴をさらに含み、１つ以上の能動的ブリーザ又は通気パネルを有する吸着ブリーザフィルタにすることができる。
【００５０】
さらに別の態様では、吸着アセンブリは、第１の基材に配置された第１の吸着材と、その第１の吸着材の少なくとも一部を覆い、第１の吸着材の周辺を囲んで第１の基材に取り付けられた、第１の多孔質ポリマー層と含んでなる、第１の吸着アセンブリと；第２の基材に配置された第２の吸着材と、その第２の吸着材の少なくとも一部を覆い、第２の吸着材の周辺を囲んで第２の基材に取り付けられた、第２の多孔質ポリマー層と含んでなる、第２の吸着アセンブリとを含み、第１の基材が第２の基材に隣接している。この態様では、少なくとも１つの端部を有する層状支持体を、第１の吸着アセンブリと第２の吸着アセンブリとの間に配置してもよい。層状支持体の端部は、露出していてもよく、隣接する吸着アセンブリで覆われていてもよい。
【００５１】
さらなる態様では、上記アセンブリは、第１の基材及び第２の基材のうち少なくとも一方が少なくとも１つの面に接着剤を含んだものを提供する。
【００５２】
他の態様では、上記アセンブリは、第１の基材及び第２の基材のうち少なくとも一方が両面接着剤を含んだものを提供する。
【発明を実施するための最良の形態】
【００５３】
本発明は、筐体内部に存在する敏感な装置を保護するために、筐体内部から気体汚染物質を除去できる小型の収着フィルタである。また本発明は、収着フィルタを用いて筐体から汚染物質を収着するための方法、特に、ディスクドライブ筐体から汚染物質を除去するための方法を提供する。詳しくは、本発明は、２つ以上の折り曲げ可能に連結された吸着アセンブリを含む、小型の吸着フィルタを提供する。この収着フィルタは並外れて優れた吸着容量を有し、ロータリーダイカット装置で容易に製造可能である。
【００５４】
また本発明は、吸着アセンブリフィルタに折り曲げ可能に連結された（拡散チューブが組み込んである、あるいは拡散チューブのない）吸着ブリーザフィルタを組み込むこともできる。本明細書に記載するこの実施態様及び他の実施態様によれば、筐体デバイス内部へのフィルタ取り付けを簡単に自動化することができる。また本発明は、空気不透過性層を含むことにより、筐体の外側から実装して、筐体内へと存在する穴、例えばハードディスクドライブ内の、クロックヘッドホール又はディスク書き込み用の穴を覆ってもよい。従って、本発明は、より多くの吸着媒体を簡単にダイカットされた単一の部品に付与可能なだけではなく、可撓性や適用性の強化といった特徴を吸着フィルタデバイスに追加しうる。
【００５５】
また本発明は、フィルタに特別の粒子濾過機能を追加するフィルタ層を組み込むこともできる。こうすると、空間の制限された環境で重要である、フィルタの多機能性を高めることになる。フィルタの能動的区画又はブリーザフィルタ区画を通って進入する空気、及び筐体内側を循環又は再循環する空気中の進入する空気の両方を、このフィルタ層は濾過できる。
【００５６】
薄いフィルタ層１４は任意の多孔質材料を含んでもよく、その多孔質材料は、吸着材料を内部に完全に保持しながら、気体汚染物質が吸着媒体を通って拡散することを可能にする。フィルタ材料は、選択した吸着材の種類及び形状に応じて、当業者であれば適切に選択できる。適当なフィルタ層材料として、非脱落性（non-shedding）ポリマーフィルタ紙もしくは積層フィルタ材料、ポリプロピレンの多孔質膜、ナイロン、ポリカーボネートとポリエステルとの複合体、セルロース混合エステル、三酢酸セルロース、又はこれらの多孔質積層体を挙げることができる。
【００５７】
ＰＴＦＥ膜フィルタ材料は、吸着材料を覆うために有利に使用でき、フィルタ膜として機能する。Ｇｏｒｅの米国特許第３９５３５６６号（参照して本明細書の一部とする）に開示されているように、ＰＴＦＥは加工上の利点を数多く提供し、例えば、凝集して（coherent）ピンホールのない状態を保ちながら極度に薄い寸法に形成できる。ＰＴＦＥは所望の幅にスリット又は押出が可能な幅広に作ってもよい。
【００５８】
典型的な膜を米国特許第３９５３５６６号に従って作ることができる。そのような膜の濾過効率を０．３ミクロン大の粒子で９９．９７％とし、透過性又は面速度を水圧０．５インチ（１．２７ｃｍ）で７フィート／分（３．５６ｃｍ／秒）とすることができる。この膜は、Ｗ．Ｌ．  Ｇｏｒｅ  ＆  Ａｓｓｏｃｉａｔｅｓ，  Ｉｎｃ．から完成したフィルタ形状で市販されている。
【００５９】
吸着層を封入するのに好ましいフィルタ媒体は、Ｂａｃｉｎｏらの米国特許第４９０２４２３号（参照することにより本明細書の一部とする）に従って作られた延伸ＰＴＦＥ膜の層である。このフィルタ媒体は、織物、不織物又は延伸多孔質材料、例えばポリエステル、ポリプロピレン、ポリアミドなどの層によって、構造的に支持されていてもよい。このフィルタ媒体にはいくつかの利点がある。
【００６０】
最も顕著なことは、このフィルタ媒体の透過性を非常に高くできることであって、空気流に対する抵抗を１０．５フィート／分（３．２ｍ／分）で０．５ｍｍ  Ｈ2Ｏ未満としつつも、吸着材粒子をフィルタ内部に保持できる。ＴＳＩ  Ｉｎｃ．，  Ｍｉｎｎｅｓｏｔａから入手できる、ＴＳＩ  ８１６０  効率試験装置で測定したときの、この非常に延伸した膜の粒子濾過効率もまた非常に良好であり（例えば０．３μｍで５５％を超える）、吸着材を保持しながら良好な粒子濾過が提供される。支持層を使用する場合、好ましいのは、Ｒｅｅｍａｙ，  Ｉｎｃ，．  Ｏｌｄ  Ｈｉｃｋｏｒｙ，  Ｔｅｎｎｅｓｓｅｅから入手できる、１．０ｏｚ／ｙｄ2のＲｅｅｍａｙ  ２０１４  ポリエステル不織布である。そのような膜又は積層体を使用すると、特に部品の再循環濾過機能におけるフィルタの吸着機能に、優れた粒子濾過機能を追加できる。
【００６１】
そのような膜を使用すると、０．００１インチ（０．０２５ｍｍ）未満も可能である、極度に薄い膜を作成できるといった価値が追加される。一部の携帯電話用途で使用されることのある０．８５インチハードディスクドライブのような、非常に小さいデバイスにフィルタを必要とするときに、このことが非常に重要になる場合がある。
【００６２】
好ましくは吸着層を覆う又は封入するための、より好ましくは再循環フィルタを備えた実施態様で使用するための、第２のフィルタ媒体は、ＧＯＲＥ−ＴＲＥＴ（登録商標）再循環フィルタの商品名で、Ｗ．Ｌ．  Ｇｏｒｅ  ａｎｄ  Ａｓｓｏｃｉａｔｅｓ，  Ｉｎｃ．から完成したフィルタ形状で入手できる、静電摩擦エレクトレット材料の層である。この媒体の利点は、効率が非常に高くて（例えば０．３μｍで９０％を超える）、同時に非常に透過性（例えば１０．５フィート／分、すなわち３．２ｍ／分で１ｍｍ  Ｈ2Ｏ未満）であることである。この媒体は脱イオン水で洗浄すると電荷を失う場合があるが、異種の帯電した繊維の混合物の摩擦電気効果に起因して、乾燥すると速やかにその電荷を再獲得する。
【００６３】
他のフィルタ材料も使用できる。これらは、空気流に対して高効率及び低抵抗を有する、他のエレクトレット又は他の摩擦エレクトレット材料であってよい。これらは、他のフィルタ紙又はフィルタ膜、例えばポリプロピレン膜もしくはキャストポリマー膜又はフィルタ材料のいくつかの組み合わせであってもよい。必要とされる性能に応じてフィルタ層を使用する、及び／又は必要に応じて使用する場合はいつでも、異種の特性を備えた異種のフィルタ材料を本発明の別の実施態様で使用できる。
【００６４】
フィルタに耐久性を付加するため、及び摩擦エレクトレット型フィルタ媒体又は膜フィルタ媒体用のフィルタ支持媒体のいずれかから飛び出している繊維を封じ込めるために、外部保護層を使用することもできる。典型的には、この外部保護層は、ポリプロピレン、ポリエチレン、ポリアミド、ポリエステルなどのような押出又は延伸プラスチック材料である。好ましい材料は、ＤｅｌＳｔａｒ  Ｔｅｃｈｎｏｌｏｇｙ，  Ｉｎｃ．，  Ｍｉｄｄｌｅｔｏｗｎ，  ＤＥから入手できる、Ｄｅｌｎｅｔ  ０７０７  延伸ポリプロピレン材料である。
【００６５】
吸着層を覆うフィルタ材料としてＰＴＦＥ膜を使用すると、多くの利点がこの改良されたフィルタ構造体に付与される。第１にＰＴＦＥは疎水性である。この業界で使用されるいくつかの吸着材は、活性炭のような物理吸着材を含浸するために炭酸カリウムのような水溶性の塩を使用して、活性表面積の大きい化学吸着材にされる。しかしながら、水溶性の化学吸着塩はフィルタを洗浄すると除去されてしまう。ＰＴＦＥ膜で吸着媒体を覆うことにより、完成部品は防水性で洗浄可能となり、水はその部品と接触することができるが吸着材に浸透できない。
【００６６】
コンピュータディスクドライブのような腐食されやすい装置についての主な懸念事項がイオン汚染であるために、洗浄可能であることは重要である。塩素及び二酸化硫黄のような問題のイオンは容易に水中に溶解するため、脱イオン水を用いて洗浄することはドライブ内部に使用される多くの構成部品について日常的に行われている。また、一次検査に合格しなかったドライブを再生することはこの業界で一般的であり、ドライブハウジング又は構成部品の洗浄が再生に含まれることが多い。従って、吸着材を封入するためにＰＴＦＥフィルタ層を利用する実施態様では、水溶性の塩処理した吸着材又は吸着処理を使用でき、吸着材の有効性を失わずに洗浄に耐えることができる。また、吸着フィルタをハウジングから取り外すことを必要とせずに、再生を行うことができる。
【００６７】
本発明のフィルタは、粒子発生、ガス放出及び不揮発性残渣が少ないだけでなく、一部の実施態様では洗浄可能である場合がある。表面のイオン性汚染物質及び粒子を除去するために脱イオン水で洗浄すると、コンピュータディスクドライブ内のような、清浄さが要求される用途へのフィルタの適合性が改善される。空気の流れから酸性気体を除去する塩のような有益な処理を洗い流すことなく、フィルタを洗浄できる。吸着層を取り囲むために、（接着剤などのような空気不透過性層と一緒に）疎水性フィルタ材料を用いると、このように洗浄可能となる。
【００６８】
本願で使用する「疎水性」とは、フィルタ材料が、従来の洗浄工程、例えば加熱、撹拌、超音波などの条件に耐えるのに十分な、水（又は界面活性剤を使用する場合は、界面活性剤を有する水）の進入圧力を有していることを意味する。
【００６９】
上述のＰＴＦＥ膜は疎水性であって洗浄可能であるが、これらの膜は、空気中の汚染物質が膜を通って吸着媒体中へと速やかかつ容易に拡散することが可能となる、高い気体透過率も有している。また、ＰＴＦＥ膜は、非常に良好な濾過効率を伴って作ることもでき、ブリーザフィルタ用途及び吸着ブリーザフィルタ用途、又は良好な再循環濾過を可能にするために適切な層が利用される用途で特に有益である。
【００７０】
収着コア材料１５に含まれる材料及び形状は様々であってよく、ゆるく詰められた粒子から、充填された又は非常に充填された多孔質材料といった範囲であってよい。本願で使用する「収着材」及び「収着」とは、吸収過程、吸着過程又は他の過程によるかに拘わらず、周囲空気から汚染物質を除去する任意の材料を包含することが意図されている。ゆるく詰められた粒子から形成されたコアは、好ましくは粒子を一緒に保持するバインダーを含有する。適当なバインダーとして、以下に限られないが、フッ素化エチレンプロピレン（ＦＥＰ）、ポリフッ化ビニリデン（ＰＶＤＦ）、ＰＶＰ（ポリビニルピリリデン（polyvinylpyrilidene））、アクリル樹脂、及び本技術分野で周知の、一般的に使用される他のバインダーが挙げられる。また、吸着材、又は吸着材充填材料、例えば空隙が収着材で充填された多孔質ポリマー材料骨格からなる、１つ以上の層がコアに含まれてもよい。他に可能なコア構造体として収着材含浸織物又は不織物が挙げられ、例えば、ラテックス又は他のバインダーに加えて、収着材とポリマーもしくはセラミックのフィラーとの多孔質キャストを含んでもよい、セルロース又はポリマー不織物である。収着コアは、単一の粒子収着材を含んでもよく、あるいは異種の収着材の混合物を含んでもよく、特定の用途に応じてそれらは選択される。また、スクリム上の吸着ビーズ層をコアに含有させることもでき、コアを吸着材料及びバインダーのタブレットとすることもできる。また、コアを炭素化材料の織布又は不織布、例えば、Ａｍｅｒｉｃａｎ  Ｋｙｎｏｌ，  Ｉｎｃ．の製造する、（ＫＹＮＯＬ）活性炭素布製品としてもよい。
【００７１】
収着コア１５の好ましい実施態様では収着材充填ＰＴＦＥシートが利用され、収着材粒子は、Ｍｏｒｔｉｍｅｒ，  Ｊｒ．の米国特許第４９８５２９６号（参照することにより本明細書の一部とする）に教示されているように、ＰＴＦＥ構造体内部に捕捉されている。理想的には、様々な大きさの粒子が互いの周りに散らばっていて、コアに含有される活性材料の量を最大にするため、粒子間の有効な空隙が可能な限り多く充填された状態で、粒子が複相性（例えば２相性又は３相性）で詰まっている。また、この技術によれば、多数の吸着材を単一層に充填できる。
【００７２】
コアのバインダー材料としてＰＴＦＥを用いると数多くの追加の利点が得られる。ＰＴＦＥは非発塵性（non-linting）・非ガス放出性の不活性バインダーであって、製造中及びフィルタ寿命中の収着材料の粉塵が効果的に低減される。さらに、この材料を加工する利点として、米国特許第４９８５２９６号に記載するような、比較的薄くて高担持量の材料にできることが挙げられ、幅広のシートで製造して、その後所望の完成幅へと切断する（又は切断及び折り曲げる）ことができる。この方法で、非常に薄型の収着フィルタ用の薄いコアを製造できる。
【００７３】
また、収着コアに形状を付与して、溝、隆起又は他の特徴部を含ませてもよく、底部、上部又は側部に隣接した透過性層を含ませてもよい。そのような溝又は透過性層は、空気及び汚染物質がその溝又は層を通ってより容易に拡散し、吸着コア層に到達することを可能にして、吸着速度をより速くすることを助ける場合がある。
【００７４】
収着材充填ＰＴＦＥコアを用いる最も大きな利点とはおそらく、高い収着材担持密度を実現するコアの容量である。収着材粒径を制御し、かつ収着材を充填した押出ＰＴＦＥコアを圧縮することによって、収着材担持密度を非常に高くできる。非常に高密度に詰まった組成物であっても、ＰＴＦＥ構造体は依然として気体を透過できる。
【００７５】
ＰＴＦＥ／吸着材複合体は、厚さを０．００１インチ未満〜０．４００インチ以上として作ることができる。そのため、完成フィルタ厚及び吸着材担持量を非常に自由にできる。さらに、完全密度の８０〜９５％に近い収着材密度は、マルチモデルパッキング（multi-model packing）及び物理的圧縮を用いて可能であり、吸着材料を最大量単位体積に詰めることができる。アクリル樹脂、溶融プラスチック樹脂などのような他のバインダーと違って、ＰＴＦＥは吸着材の空孔を塞がない。
【００７６】
コア内部に含有されてもよい収着材料の例として、物理吸着材（例えばシリカゲル、活性炭、活性アルミナ、モレキュラーシーブなど）；化学吸着材（例えば過マンガン酸カリウム、炭酸カリウム、炭酸ナトリウム、炭酸カルシウム、硫酸カルシウム、粉末金属、又は、除去する既知の汚染物質に応じて気相汚染物質を捕集するための、他の塩もしくは反応剤）；イオン交換材料；触媒フィラーに加えて、これらの物質のいくつかの混合物を挙げることができる。一部の用途では、多層の収着材料を使用することが望ましい場合があり、このとき、様々な汚染物質がフィルタを通過するときにその様々な汚染物質を選択的に除去するために、各層は様々な収着材を含有している。
【００７７】
本発明のそれぞれの実施態様では、収着フィルタを事実上任意の所望の寸法で構成してもよい。ハードディスクドライブ内部に使用する場合でさえ、ドライブの形状因子及びフィルタを配置可能な空間によって、そのようなフィルタの大きさは非常に様々となる。３．５インチハードディスクドライブ用フィルタの大きさは、１ｃｍ×１ｃｍ×０．５ｍｍ（長さ×幅×厚さ）又はそれ未満から、１０ｃｍ×５ｃｍ×５ｃｍ又はそれ以上の範囲であってよい。より小さい形状因子のドライブ又は他の小さい筐体、例えば携帯電話は、通常より小さいフィルタを使用する。これらのフィルタには、大きさが０．５ｃｍ×０．５ｃｍ×０．２ｍｍ及びそれ未満のものが含まれる。反対に、より大きい筐体、又はより極端な環境もしくは汚染物質の攻撃に耐える必要がある筐体ではより大きくなる。０．００８ｃｃ〜０．０２５ｃｃ（又はそれ未満）までの低い内部吸着材体積、及び収着材料を少なくとも１ｍｇ含む収着コアを得ることができる。吸着コア体積を大きくするのは一般に容易であり、従って、ほぼ全ての必要とされる体積にすることができる。
【００７８】
収着コアを覆う延伸ＰＴＦＥ保護フィルタを使用するにあたり、フィルタの好ましい厚さは約０．００７インチ〜０．２インチ（０．２ｍｍ〜５ｍｍ）である。
【００７９】
本発明によれば、厚さ０．１２５ｍｍ、幅３ｍｍ、長さ５ｍｍで総体積が１．８ｍｍ3となる部品が容易に作製できる。大きさがこのように小さいにも拘わらず、このようなフィルタは収着材を約５００マイクログラム以上収容できる。汚染物質を自重の４０％〜１００％を超えて吸着する典型的な収着材を用いると、５００マイクログラムの収着材は汚染物質を２００〜５００マイクログラム収着できる。この量は、総体積が約２〜５ｃｃ、又はそれ以上である筐体を実質的に保護するのに十分なはずである。しかし、これらの説明は本発明の範囲を限定するものではない。
【００８０】
また本発明によれば、ディスクドライブ内部の様々な位置にフィルタが配置可能である。本発明のフィルタ７０を実装できる、ディスクドライブ６８内部で提案される位置として、動作中に機械的に邪魔にならない限り、磁気記憶ディスク７２の付近、下又は上、読み書きヘッド７４用のランプロード付近、あるいはアーム（armature）７６の付近が挙げられる。また、フィルタを収容するために使用するスロット又は他の特徴部の内部で小さい領域に配置することもできる。この環境内で問題になるであろう気体汚染物質として、以下に限られないが、ジオクチルフタレート；塩素；硫化水素；亜酸化窒素；無機酸の気体；アニオン性炭素種；シリコーンからの気体；炭化水素系切削油；並びに他の炭化水素及び腐食性汚染物質に加えて水分が挙げられる。
【００８１】
吸着材は基材上に配置される。取り扱いを容易にするため、好ましくはポリマーフィルムが基材に含まれる。ポリマーフィルムは、例えば、ポリエチレン、ポリプロピレン、ポリエステル、ポリカーボネート、ポリウレタン、又はポリ塩化ビニルのフィルムであってよい。フィルムにポリエステルフィルムが含まれるのが好ましい。
【００８２】
フィルム厚は、選択したフィルタ用途及び他の材料に左右される。例えば、フィルムがＥ．Ｉ．  Ｄｕｐｏｎｔ  Ｃｏ．の製造するＭｙｌａｒであれば、フィルム厚は約０．０００５インチ〜約０．００７インチが好ましい。フィルムが薄いほど完成したフィルタの大きさをいくらか減らすことができる。しかしながら、厚いフィルムはフィルタアセンブリの剛性を有利に増大しうる。
【００８３】
接着剤は、例えば、コーティング、塗装、スプレー、ディップ、積層、又は接着剤を層に適用する他の方法によって、ポリマーフィルムに配置できる。一部の実施態様では、接着剤を市販のフィルムに予備適用してもよい。フィルムは接着剤層であってもよい。この態様ではフィルムを剥離層に配置する。この剥離層を除去してから、フィルタを組み立てるか取り付ける。
【００８４】
当業者であれば、接着剤は、目的用途に耐えるのに十分高い剥離力を有し、かつ存在しうる使用仕様、例えば高温、耐溶剤性、ＦＤＡ承認、再配置性、又は低ガス放出といった仕様に合致しなければならないことを理解する。例えば、典型的な低ガス放出仕様とは、合計質量損失が１％未満で再凝集物質量比が０．１％未満のＡＳＴＭ  Ｅ−５９５−８４の規格に合格することである。従って、好ましい実施態様では、ポリマーフィルムの第１面に適用された０．００１５インチ（０．０３８１ｃｍ）厚の永久アクリル感圧接着剤の第１層と、フィルムの第２面に適用された０．００１５インチ（０．０３８１ｃｍ）厚の永久アクリル感圧接着剤の第２層とが本発明で利用される。後者の接着剤はフィルタ材料及び吸着材と接触し、第１の接着剤は、フィルタアセンブリの両半分を接合するため、あるいは筐体に取り付けるために使用される。
【００８５】
別の実施態様では、基材として単層の転写接着剤のみを使用してもよい。この実施態様の接着剤は、吸着材を実装するための基材として、及びフィルタの両半分を接合するため、又は筐体にフィルタを取り付けるための接着剤として、両方の機能を果たす。これらの接着剤は、ＰＳＴＣ  ＃１（ＦＴＭＩ）で測定したときに２０オンス／インチを超える中〜強剥離力を有していなければならず、ガス放出はＡＳＴＭ  Ｅ−５９５−８４の規格に合格しなければならない。適当な転写接着剤は多くの供給元から市販されている。
【００８６】
図１Ｂを参照して、ヒンジ付き吸着アセンブリ（１０）を以下のように組み立てることができる。本発明のヒンジ付き吸着材の優れた利点とは、吸着容量を増大しながら、これらの吸着フィルタのアセンブリが効率的なロータリーダイ製造プロセスと適合可能なことである。
【００８７】
ポリマーフィルム（１７）は、対向する面に接着剤層（１６及び１８）を有する両面接着剤テープとして提供される。フィルムは長方形に切断され、このフィルムを二等分する対称軸を有している。２つの吸着材（１５、１５’）を、フィルムの両側でその軸に対して対称的に配置する。それぞれの吸着材は、吸着材がフィルムに接着するように、接着剤と接触する表面を有している。
【００８８】
吸着材は多孔質ポリマーフィルタ媒体（１４）で覆われている。フィルタ媒体は吸着材の残りの表面を覆って、２つの吸着ユニットを形成する。フィルタ媒体は、吸着材の周辺を囲む、露出した感圧接着剤によって、フィルムに接着されている。このように、吸着材はポリマーフィルムの間に封入されて、対称軸について対称的な２つの吸着ユニットを形成する。
【００８９】
図１Ａに示すように、フィルム及びフィルタ媒体は対称軸に沿って打ち抜き穴を含んでいる。この打ち抜き穴によって、２つの吸着ユニット１１及び１２の間にヒンジ連結１３が作られる。折り曲げ可能に連結されたアセンブリは、様々な形状で取り付けることができる。例えば、図３Ａに図示するように、各吸着ユニットが筐体の側部に取り付けられた状態で、アセンブリを筐体の角部に実装できる。
【００９０】
図３Ｂでフィルタ１０’として描かれた１つの吸着ユニットは、フィルム内部に穴を含んでもよく、その穴を筐体壁（２３）のブリーザポート（２４）と位置合わせして、吸着ブリーザとして吸着ユニットを機能させることができる。また、ブリーザポートと位置合わせされた吸着アセンブリに、図１０に示すような拡散チューブを層内部に組み込んでもよい。拡散チューブを組み込むとフィルタの機能性が増大する。この実施態様では、接着層を通る穴２６は、片面接着剤であってよい追加層２７及び２８（ポリエステル層２７上の接着層２８）を通ってスロット２５の一端と揃っており、スロット２５の反対側は、筐体壁２３の通気穴２４と揃っている。
【００９１】
図８に示す他の代替実施態様では、ヒンジ付き吸着アセンブリは不透過性層４１を含み、角部の周り、例えばふたの一部分及び筐体側部の一部分のような外側から実装される。ここで接着層４３はフィルタを筐体壁に固定するために使用され、フィルタ区画５１及び５２は、筐体壁２３の穴を通って筐体内側と連絡する。また、これらのフィルタには、空気不透過性層内部に穴４６が組み込まれてもよく、図９に図示する外部実装吸着ブリーザフィルタとして機能する。ここでフィルタ区画５３は、フィルタユニットの能動的吸着ブリーザ区画とされる。また、これらの外部実装吸着ブリーザフィルタには、性能及び機能を改良するために、接着層４６、ポリ（poly）層４７及び接着層４８を有する、図１１に図示する拡散チューブが組み込まれてもよい。
【００９２】
好ましくは、吸着アセンブリは、図１Ｄに図示するように、２つのアセンブリの接着剤（１８）が接触するよう対称軸の辺りで折り曲げられる。このようにすると、効率的な連続供給ロータリーダイカット装置を用いて、高い吸着容量を有する小型の吸着フィルタを構成できる。その上、吸着フィルタは対称的であるため、特定の向きで筐体に取り付ける必要がない。
【００９３】
また、図２Ａに図示するように、シート２０を２つの折り曲げた半分の間に挿入してもよい。このシートは、図２Ｂに図示するように、ある側部において延在側部２１だけ外に延在してもよい。挿入したシートの２つ以上の端部が、吸着アセンブリから延在してもよい。図２Ｂでは、シートはヒンジと反対の端部で延在している。図２Ｃでは、シートは３つの端部で延在している。また、ヒンジに細長い穴を設けてシートを挿入し、図２Ｄに図示するように４つの側部でシートを延在させてもよい。この追加したシートはいくつかの理由で有用である。すなわち、必要であれば部品をシートによって強化でき、シートが延在する側部に接着剤のない領域又は区域を拡大でき、シートも薄く可撓性にすることで、使用するＣ−チャンネル型デバイス内部での部品のスプリング荷重により、部品を筐体内部に保持できる。
【００９４】
また、ヒンジ付き吸着アセンブリに、折り曲げ可能に連結された２つより多い吸着アセンブリが収容されていてもよい。図４に図示するフィルタは、ヒンジ（３４及び３５）で連結した３つの吸着アセンブリ（３１、３２及び３３）からなる。これらの複数の吸着アセンブリを、任意の特徴部、例えば図１２及び図１４にそれぞれ図示するような三角形の柱２４及び長方形の柱２８の周りに、あるいは丸くしてアセンブリ自体の方に戻って、折り曲げることができる。
【００９５】
また、図１３及び図１５に図示するように、複数の区画に分けられたヒンジ付き吸着材が、接着層４３を通る穴２７を含み、筐体の外側へ通気する中空柱２５の穴２６と揃えられてもよい。
【００９６】
また、折り曲げ可能に連結された吸着フィルタの区画は、図５に図示するように、同じ形状又は大きさである必要はない。
【００９７】
また、吸着フィルタに吸気透過性流れ層３５を含ませて、図６に図示するように、吸着材裏側への接近を改良することによって吸着速度を増大してもよい。さらに、２つの吸着アセンブリに、図７に図示するように、それぞれ異なる流れ層３９及び３７を備えた、それぞれ異なる吸着材３８及び３６を使用してもよい。区画ごとに異なる数の層を用いて吸着材を多層化してもよく、かつ吸着層の間に空気透過性流れ層を含ませてもよく、あるいは流れ層の代わりに吸着材内部に溝を含むような形状を施してもよい。さらに、吸着ブリーザフィルタとして機能させるために、流れ層又は溝を利用するフィルタ内の接着層に穴を使用してもよく、この場合の層及び／又は溝は、フィルタを通る空気流の増大に役立つ場合がある。
【００９８】
ヒンジ付き吸着フィルタは、図１６Ａ及び図１６Ｂに図示するように、上記以外の複数の表面に実装される複数の吸着アセンブリを有していてもよい。ここで、フィルタは、互いに直角の３つの表面、例えば、２つの側面及び底面；２つの側面及び上面；上面、底面及び側面、あるいは筐体内部に存在しうる他の表面又は壁に実装可能な、吸着アセンブリＡ、Ｂ及びＣを有している。さらに、これらの表面が互いに直角である必要はなく、いかなる傾斜又は形状であってもよい。これらのフィルタに、接着層及び／又は複数の接着層を通る穴が含まれてもよく、筐体の穴の上に実装して、図１７Ａ及び１７Ｂに図示するように吸着ブリーザフィルタとして機能させてもよい。同様にここでも拡散チューブを組み込んでもよい。また、外部実装形状も使用できる。
【００９９】
吸着アセンブリフィルタを、図１９Ａに図示するように、鏡像関係であってよい２つの別個の部品８０及び８１にヒンジに沿って分離してもよく、図１９Ｂに示すように、単一ユニットへとさらに組み立ててもよい。さらに、図２０Ａ及び図２０Ｂでそれぞれ上面図及び側面図として示すように、２つの部品８０及び８１の間に追加層８７を挿入してもよい。追加層８７は、強化要素として使用してもよく、アセンブリをスロット内にスプリング加重することを補助するスプリングとして使用される薄層としてもよい。追加した層は、別個の部品８０及び８１からの接着剤の端部が、組み立てられた完成フィルタの端部に到達するのを防ぐために使用してもよい。
【０１００】
図１８は、フィルタ７０が取り付けられている、コンピュータハードディスクドライブ６８の簡略図である。ここでは、ディスク７２、読み書きヘッド７４及びアクチュエータアーム７６の相対位置も示されている。
【０１０１】
様々な材料を様々な構造体に使用できる。例えば、図８、９及び１１で使用されている空気不透過性層は、ポリエステル、ポリプロピレン又はポリエチレンのようなポリマー層であってよい。これらは金属化ポリマーフィルムであってもよい。より好ましくは、これらをアルミニウムの層とすることができ、さらにより好ましくは、追随性（conformable）であって良好な電磁遮へいを提供することから、追随性極軟質アルミニウムの層である。一例として、Ｂｒｏｏｋｌｙｎ  Ｈｅｉｇｈｔｓ，  ＯｈｉｏにあるＡＬＬ  ＦＯＩＬＳが販売する、０．００３インチ厚極軟質アルミニウムが挙げられる。
【実施例】
【０１０２】
本発明の範囲の限定を意図することなく、以下の例でどのように本発明物を作製し使用できるかを説明する。
【０１０３】
例１：以下の特徴を有する吸着アセンブリを作製した。厚さが０．００３インチのポリエステルフィルム又はシートの両面を接着剤で被覆した。この接着剤は厚さが０．００１５インチのアクリル高温感圧接着剤であった。この両面接着剤構造体は、Ｇｌｅｎｎ  Ｒｏｃｋ  ＰｅｎｎｓｙｌｖａｎｉａにあるＡｄｈｅｓｉｖｅｓ  Ｒｅｓｅａｒｃｈ  Ｃｏｍｐａｎｙから入手できる。
【０１０４】
活性炭７０質量％及びＰＴＦＥ３０質量％の吸着コアは、米国特許第４９８５２９６号に従って作製した。
【０１０５】
ポリマーフィルタ膜は、Ｗ．Ｌ．  Ｇｏｒｅ  ａｎｄ  Ａｓｓｏｃｉａｔｅｓ，  Ｉｎｃ．，  Ｎｅｗａｒｋ，  Ｄｅｌａｗａｒｅが製造及び供給するような、０．２μｍ等級の延伸多孔質ＰＴＦＥ膜を含むものとした。
【０１０６】
２つの吸着材片を切断し、予定の折り曲げ線の位置から等距離で、接着剤で被覆したポリエステルシート上に配置した。多孔質ポリマー膜を吸着材上で圧着し、各吸着材の周辺を囲んでポリエステルフィルム上の接着剤と接着した。打ち抜き穴を折り曲げ線に沿って作製し、２つの折り曲げ可能に連結された吸着アセンブリを形成した。
【０１０７】
次に、得られた折り曲げ可能に連結された吸着アセンブリを、第１のアセンブリのポリエステルフィルム上で露出している接着剤が、第２のアセンブリのポリエステルフィルム上で露出している接着剤と接触するように互いの上に折り曲げた。手で５秒間アセンブリを一緒に圧着した。
【０１０８】
得られた吸着アセンブリの大きさは、長さおよそ１．０インチ（２．５４ｃｍ）×幅およそ０．５５インチ（１．４ｃｍ）×厚さおよそ０．１０インチ（０．２５ｃｍ）で、活性炭を約９５ｍｇ含んでいた。
【０１０９】
まとめると、本発明は、製造が容易で、低粉塵、低ガス放出、小型、小さい大きさに製造可能で、大量の高密度に詰まった収着材料をそれに比例して保持可能な、比較的厚い収着フィルタアセンブリを提供する。
【０１１０】
上記説明は、主にコンピュータディスクドライブ用途で使用するフィルタの製造を対象としたが、本発明は、他の多くの用途、例えば、電子制御ボックス、自動車、光学装置、光ケーブル、携帯電話、光学素子などに使用できる。本発明は、非常に大量の吸着材を比較的小さいパッケージに収めて、商業的に大量に安価で供給できるため、湿度、腐食性気体、又は揮発性有機気体の制御が必要な筐体であれば、基本的にどれでも本発明を使用できる。
【０１１１】
本発明の特定の実施態様を本明細書で説明及び記載したが、本発明をそのような説明及び記載に限定してはならない。当然のことながら、以下の特許請求の範囲内で、本発明の一部として変更及び変形を組み入れて具現化してもよい。
【図面の簡単な説明】
【０１１２】
【図１Ａ】本発明のフィルタユニットの第１実施態様の上面図である。
【図１Ｂ】図１Ａに示す実施態様の側面図である。
【図１Ｃ】ヒンジ線に沿って９０度折り曲げられたときの、図１Ｂに示す実施態様の側面図である。
【図１Ｄ】ヒンジ線に沿って１８０度折り曲げられた、すなわちそれ自身の上に折り畳まれたときの、図１Ｂの実施態様の側面図である。
【図１Ｅ】部品を一緒に保持できる、又はフィルタを所定位置に保持するための補助として使用できるエンドキャップ１９をさらに備えた、図１Ｄの実施態様の側面図である。
【図２Ａ】部品を折り曲げたときに接着剤層１８の間に配置可能な追加層２０を含む、本発明の第２実施態様の横断面図である。
【図２Ｂ】追加の層（ここでは層２１と標記する）が折り曲げた層の外へ１方向に延在する、図２Ａの実施態様の側面図である。
【図２Ｃ】追加の層（ここでは層２２と標記する）が折り曲げた層の外へ３方向に延在する、図２Ａの実施態様の側面図である。
【図２Ｄ】追加の層（ここでは再び層２２と標記する）がヒンジ側のスリットを通って延在し、折り曲げた層の外へ４方向全てに延在する、図２Ａの実施態様の側面図である。
【図３Ａ】本発明の吸着アセンブリフィルタユニットの、第３実施態様の側面図であり、ここでは、ヒンジ線のあたりで折り曲げられ、以下に限定されないが、筐体の角部のような３次元構造体に適用されて示されている。
【図３Ｂ】本発明の吸着ブリーザフィルタユニットの、第４実施態様の側面図であり、ヒンジ線のあたりで折り曲げて通気穴の上で筐体に適用できる。
【図４】折り曲げ可能に連結された３つの区画を有する、本発明のフィルタユニットの第５実施態様の上面図である。
【図５】ヒンジ線について両側が同じでなくともよい、本発明の第６実施態様の上面図である。
【図６】追加の空気透過性流れ層又は溝を吸着層の下側に追加して、より速い吸着速度で吸収させるために吸着材の表面領域をより多く利用できる、本発明の第７実施態様の側面図である。
【図７】ヒンジ層の各側にある吸着層がそれぞれ、大きさ、組成又は密度が同じではない、本発明の第８実施態様の側面図である。
【図８】吸着アセンブリが筐体外側に実装されている、本発明の第９実施態様の側面図である。示すように、同一平面で実装してもよく、そうでなくてもよい。
【図９】吸着ブリーザフィルタが筐体外側に実装されている、本発明の第１０実施態様の側面図である。示すように、同一平面で実装してもよく、そうでなくてもよい。
【図１０】図３Ｂに示す吸着ブリーザフィルタに拡散チューブを追加してもよい、本発明の第１１実施態様の側面図である。
【図１１】図９に示す外部実装吸着ブリーザフィルタに拡散チューブを追加してもよい、本発明の第１２実施態様の側面図である。
【図１２】図４と同様の３区画吸着アセンブリを三角形の柱に実装してもよい、本発明の第１３実施態様の側面図である。
【図１３】３区画吸着ブリーザフィルタを外側と通気している三角形の中空柱に実装してもよい、本発明の第１４実施態様の側面図である。
【図１４】４区画吸着アセンブリを正方形又は長方形の柱に実装してもよい、本発明の第１５実施態様の側面図である。
【図１５】４区画吸着ブリーザフィルタを外側と通気している正方形又は長方形の中空柱に実装してもよい、本発明の第１６実施態様の側面図である。
【図１６Ａ】筐体の３つの面又は表面、例えば、２つの側面及び底面；２つの側面及び上面；上面、底面及び側面；又はその他の可能な内部表面に取り付けられる、３枚パネル又は２つのヒンジ付き吸着アセンブリフィルタである、本発明の第１７実施態様の上面図である。
【図１６Ｂ】筐体の３つの側面又は表面、例えば、２つの側面及び底面；２つの側面及び上面；上面、底面及び側面；又はその他の可能な内部表面に取り付けられる、３枚パネル又は２つのヒンジ付き吸着アセンブリフィルタである、本発明の第１７実施態様の側面図である。
【図１７Ａ】筐体の３つの面又は表面に取り付けられる、３枚パネル又は２つのヒンジ付き吸着ブリーザフィルタである、本発明の第１８実施態様の上面図である。
【図１７Ｂ】筐体の３つの面又は表面に取り付けられる、３枚パネル又は２つのヒンジ付き吸着ブリーザフィルタである、本発明の第１８実施態様の側面図である。
【図１８】所定位置にフィルタを備えたコンピュータハードディスクドライブの側面図を示す。
【図１９Ａ】鏡像関係にある別個の部品として２つの吸着アセンブリが分離している、本発明の第１９実施態様の上面図を示す。
【図１９Ｂ】２つの吸着アセンブリが接着剤層で接触して組み立てられている、本発明の第１９実施態様の側面図を示す。
【図２０Ａ】図１９Ａに示すような２つの吸着アセンブリが他の基材層と一緒に組み立てられている、本発明の第２０実施態様の上面図である。基材層は、補強層、ばね層、又は部品の端部から接着剤層の端部を保持する層であってよい。基材層は別個の部品を超えて最大４つの側部へ延在してもよい。
【図２０Ｂ】図１９Ａに示すような２つの吸着アセンブリが他の基材層と一緒に組み立てられている、本発明の第２０実施態様の側面図である。
【図１Ａ】
2008516752.tif 000003
【図１Ｂ】
2008516752.tif 000004
【図１Ｃ】
2008516752.tif 000005
【図１Ｄ】
2008516752.tif 000006
【図１Ｅ】
2008516752.tif 000007
【図２Ａ】
2008516752.tif 000008
【図２Ｂ】
2008516752.tif 000009
【図２Ｃ】
2008516752.tif 000010
【図２Ｄ】
2008516752.tif 000011
【図３Ａ】
2008516752.tif 000012
【図３Ｂ】
2008516752.tif 000013
【図４】
2008516752.tif 000014
【図５】
2008516752.tif 000015
【図６】
2008516752.tif 000016
【図７】
2008516752.tif 000017
【図８】
2008516752.tif 000018
【図９】
2008516752.tif 000019
【図１０】
2008516752.tif 000020
【図１１】
2008516752.tif 000021
【図１２】
2008516752.tif 000022
【図１３】
2008516752.tif 000023
【図１４】
2008516752.tif 000024
【図１５】
2008516752.tif 000025
【図１６Ａ】
2008516752.tif 000026
【図１６Ｂ】
2008516752.tif 000027
【図１７Ａ】
2008516752.tif 000028
【図１７Ｂ】
2008516752.tif 000029
【図１８】
2008516752.tif 000030
【図１９Ａ】
2008516752.tif 000031
【図１９Ｂ】
2008516752.tif 000032
【図２０Ａ】
2008516752.tif 000033
【図２０Ｂ】
2008516752.tif 000034
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
ａ）第１の基材に配置された第１の吸着材と、該第１の吸着材の少なくとも一部を覆い、該第１の吸着材の周辺を囲んで該第１の基材に取り付けられた、第１の多孔質ポリマー層とを含む、第１の吸着アセンブリと；
ｂ）第２の基材に配置された第２の吸着材と、該第２の吸着材の少なくとも一部を覆い、該第２の吸着材の周辺を囲んで該第２の基材に取り付けられた、第２の多孔質ポリマー層とを含む、第２の吸着アセンブリと
を含んでなり、該第１の吸着アセンブリと該第２の吸着アセンブリが、折り曲げ線に沿って折り曲げ可能に連結され、かつ該折り曲げ線について対称であることを特徴とする、物品。
【請求項２】
前記物品が前記折り曲げ線に沿って折り曲げられている、請求項１に記載の物品。
【請求項３】
少なくとも１つの端部、第１面、及び該第１面と対向する第２面を有する層状支持体をさらに含んでなり、前記第１の吸着アセンブリが該層状支持体の該第１面に隣接し、かつ前記第２の吸着アセンブリが該層状支持体の該第２面に隣接するように、前記物品が、該層状支持体の端部のあたりで、前記折り曲げ線に沿って折り曲げられていることを特徴とする、請求項１に記載の物品。
【請求項４】
前記層状支持体の少なくとも１つの端部が露出している、請求項３に記載の物品。
【請求項５】
前記層状支持体が、少なくとも１つの面に接着剤をさらに含む、請求項３に記載の物品。
【請求項６】
前記第１の基材が前記第２の基材に隣接するように、前記物品が前記折り曲げ線に沿って折り曲げられている、請求項１に記載の物品。
【請求項７】
前記第１の吸着アセンブリを前記第２の吸着アセンブリに固定するためのクランプをさらに含む、請求項６に記載の物品。
【請求項８】
前記第１の基材と前記第２の基材とが連続している、請求項１に記載の物品。
【請求項９】
前記第１の多孔質ポリマー層と前記第２の多孔質ポリマー層とが連続している、請求項１に記載の物品。
【請求項１０】
前記第１の基材及び前記第２の基材の少なくとも一方が、少なくとも１つの面に配置された接着剤を含む、請求項１に記載の物品。
【請求項１１】
前記第１の基材が前記第２の基材に隣接し、かつ前記接着剤の少なくとも一部が露出するように、前記物品が折り曲げられている、請求項１０に記載の物品。
【請求項１２】
前記接着剤が、感圧接着剤、ホットメルト接着剤、熱可塑性又は熱硬化材料、ＵＶ硬化性接着剤、空気硬化性接着剤、水分硬化性接着剤、及び複数部分（multiple-part）接着剤からなる群から選択される、請求項１０に記載の物品。
【請求項１３】
前記第１の基材及び前記第２の基材の少なくとも一方が、両面接着剤テープを含む、請求項１に記載の物品。
【請求項１４】
前記第１の吸着アセンブリが、前記第１の基材内部に穴をさらに含む、請求項１に記載の物品。
【請求項１５】
前記第１の吸着アセンブリが、前記穴の上に配置された拡散チューブをさらに含む、請求項１４に記載の物品。
【請求項１６】
前記多孔質ポリマー層を覆う空気不透過性層をさらに含む、請求項１４に記載の物品。
【請求項１７】
前記空気不透過性層内部に少なくとも１つの打ち抜き穴をさらに含む、請求項１４に記載の物品。
【請求項１８】
前記第１の多孔質ポリマー層及び前記第２の多孔質ポリマー層の少なくとも一方が、多孔質ポリマー膜である、請求項１に記載の物品。
【請求項１９】
前記多孔質ポリマー膜がＰＴＦＥを含む、請求項１８に記載の物品。
【請求項２０】
前記第１の多孔質ポリマー層及び前記第２の多孔質ポリマー層の少なくとも一方が、多孔質ポリマー膜及び支持体を含む積層体である、請求項１に記載の物品。
【請求項２１】
前記多孔質ポリマー膜がＰＴＦＥを含む、請求項２０に記載の物品。
【請求項２２】
前記第１の吸着材及び前記第２の吸着材の少なくとも一方が、化学吸着材を含む、請求項１に記載の物品。
【請求項２３】
前記第１の吸着材及び前記第２の吸着材の少なくとも一方が、物理吸着材を含む、請求項１に記載の物品。
【請求項２４】
前記第１の吸着材及び前記第２の吸着材が同じ材料を含む、請求項１に記載の物品。
【請求項２５】
少なくとも１つの追加の基材に配置された少なくとも１つの追加の吸着材と、該少なくとも１つの追加の吸着材の少なくとも一部を覆い、該少なくとも１つの追加の吸着材の周辺を囲んで該少なくとも１つの追加の基材に取り付けられた、少なくとも１つの追加の多孔質ポリマー層とを含む、少なくとも１つの追加の吸着アセンブリをさらに含んでなり、該少なくとも１つの追加の吸着アセンブリは、前記第１又は第２の吸着アセンブリと折り曲げ可能に連結されていることを特徴とする、請求項１に記載の物品。
【請求項２６】
少なくとも１つの角部を有し、請求項１に記載の物品を含む筐体であって、前記物品が前記折り曲げ線に沿って折り曲げられて該筐体の該角部に取り付けられていることを特徴とする、筐体。
【請求項２７】
請求項１５に記載の物品によって覆われている穴を有する、筐体。
【請求項２８】
前記吸着材の少なくとも１つの表面に形状が施されている、請求項１に記載の物品。
【請求項２９】
前記吸着材が、少なくとも１つの空気透過性流れ層をさらに含む、請求項１に記載の物品。
【請求項３０】
前記吸着材が、吸着材を充填したポリマー層を含む、請求項１に記載の物品。
【請求項３１】
前記吸着材が、吸着材及びＰＴＦＥを含む複合体である、請求項３０に記載の物品。
【請求項３２】
少なくとも１つの吸着材が、２つ以上の吸着材料を含む、請求項１に記載の物品。
【請求項３３】
少なくとも１つの吸着材が、２つ以上の吸着材料層を含む、請求項１に記載の物品。
【請求項３４】
ａ）対称軸で第１の半分及び第２の半分に二等分される長方形の感圧接着剤層と；
ｂ）該感圧接着剤層の該第１の半分に接触した第１の表面を有し、少なくとも１つの残りの表面を有する、第１の吸着材と；
ｃ）該感圧接着剤層の該第２の半分と接触した第１の表面を有し、少なくとも１つの残りの表面を有する、第２の吸着材であって、該第１の吸着材と該第２の吸着材とが該対称軸について対称である、第２の吸着材と；
ｄ）ｅＰＴＦＥを含む多孔質ポリマー膜フィルタ媒体であって、該ポリマー膜フィルタ媒体が該第１の吸着材の該残りの表面を覆って第１の吸着ユニットを形成し、かつ該ポリマー膜フィルタ媒体が該第２の吸着材の該残りの表面を覆って第２の吸着ユニットを形成するように、該第１の吸着材及び該第２の吸着材の周辺を囲んで該感圧接着剤層に取り付けられた、多孔質ポリマー膜フィルタ媒体と；
ｅ）該第１の吸着ユニットが該第２の吸着ユニットに折り曲げ可能に連結されるように、該対称軸に沿って配置された少なくとも１つの打ち抜き穴と、
を含んでなる、吸着アセンブリ。
【請求項３５】
ａ）上面及び底面を有する基材を用意する工程であって、該基材は折り曲げ線をその中に有して、上面及び底面を有する第１のパネルと上面及び底面を有する第２のパネルとを形成し、該第１のパネルは該第２のパネルに折り曲げ可能に連結され、かつ該折り曲げ線について対称である、工程と；
ｂ）該第１のパネルの該上面に配置された第１の吸着材と、該第２のパネルの該上面に配置された第２の吸着材とを用意する工程と；
ｃ）該第１の吸着材の周辺を囲んで該第１のパネルの該上面に取り付けられた、第１の多孔質ポリマー層で該第１の吸着材の少なくとも一部を覆う工程と；
ｄ）該第２の吸着材の周辺を囲んで該第２のパネルの該上面に取り付けられた、第２の多孔質ポリマー層で該第２の吸着材の少なくとも一部を覆う工程と；
ｅ）該第１のパネルの該底面が該第２のパネルの該底面に隣接するように、該折り曲げ線で該基材を折り曲げる工程と
を含む、吸着物品の組立方法。
【請求項３６】
前記第１の多孔質ポリマー層及び前記第２の多孔質ポリマー層が連続している、請求項３５に記載の吸着物品の組立方法。
【請求項３７】
前記第１及び第２の多孔質ポリマー層を空気不透過性層で覆う工程をさらに含む、請求項３５に記載の吸着物品の組立方法。
【手続補正２】
【補正対象書類名】明細書
【補正対象項目名】０００３
【補正方法】変更
【補正の内容】
【０００３】
コンピュータディスクドライブにおける、汚染に関係する重大な故障機構の１つは、静止摩擦又は「スティクション（stiction）」である。スティクションとは、ディスクが停止しているときに、ドライブヘッドがディスクに付着することである。新しい高密度ディスクはより滑らかであり、かつ潤滑剤のわずかな薄い層が使用されるために、汚染物質に関係するスティクションにより敏感である。ディスク上の汚染物質は、表面エネルギー及びディスクとヘッドとの間の付着力を変化させて、スティクションを引き起こす。また、ヘッドとディスクとのすき間に凝縮する気体もスティクションを引き起こしうる。新しいディスクドライブは、より小さくて低トルクの低エネルギーモーターを有するため、これらの影響はさらに深刻である。
【手続補正３】
【補正対象書類名】明細書
【補正対象項目名】００２８
【補正方法】変更
【補正の内容】
【００２８】
さらに別の態様では、本発明は、第１の基材内部に配置された穴又は吸入口を提供する。
【手続補正４】
【補正対象書類名】明細書
【補正対象項目名】００２９
【補正方法】変更
【補正の内容】
【００２９】
さらに別の態様では、本発明は、吸入口の上に配置された拡散チューブをさらに含む。
【手続補正５】
【補正対象書類名】明細書
【補正対象項目名】００５８
【補正方法】変更
【補正の内容】
【００５８】
典型的な膜を米国特許第３９５３５６６号に従って作ることができる。そのような膜の濾過効率を０．３μｍ大の粒子で９９．９７％とし、透過性又は面速度を水圧０．５インチ（１．２７ｃｍ）で７フィート／分（３．５６ｃｍ／秒）とすることができる。この膜は、Ｗ．Ｌ．  Ｇｏｒｅ  ＆  Ａｓｓｏｃｉａｔｅｓ，  Ｉｎｃ．から完成したフィルタ形状で市販されている。
【国際調査報告】
2008516752.tif 000035
2008516752.tif 000036